(57)【要約】【課題】風雨の侵入を防止でき、かつ、換気能力が低下するのを防止できる換気装置を提供することを目的とする。【解決手段】筒状で室外側端部に斜め下方に向け開口する通風口１を形成するように上部側に球面状に突出し設けられるひさし２と室内側に窓または壁部等に取り付けるフランジ部３を設けたフード４と、フード４の通風口１を開閉するシャッター１０とを設け、シャッター１０の開放時にフード４のひさし２の内側に収納されるようにシャッター１０を球面状に形成したことにより、シャッター１０の閉鎖時に風雨が室内に浸入したり、シャッター１０の開放時に換気能力が低下するのを防止できる換気装置が得られる。【選択図】  図１
2004218880.tif 000002
【特許請求の範囲】
【請求項１】
室内側に窓または壁部等に設ける開口に挿入させ取り付けられる筒状で、室外側端部に斜め下方に向け開口する通風口を形成するように上部側に球面状に突出して設けられるひさしを有するフードと、このフードの通風口を開閉するシャッターと、このシャッターを開閉する開閉手段とを備え、前記シャッターの開放時に前記フードのひさしの内側に収納されるように前記シャッターを球面状に形成した換気装置。
【請求項２】
フードの内部に、シャッターの閉鎖時に、シャッターの内面側に向け縮小し突出する傾斜面を有し略環状に形成する水受を設け、下方部の水受とフードとの間にドレン溜部を形成した請求項１記載の換気装置。
【請求項３】
シャッターを、開放時には一部重合するように複数に分割して形成した請求項１記載の換気装置。
【請求項４】
ひさしの室外側端部に突出片を外方に向けて設けた請求項１記載の換気装置。
【請求項５】
ひさしの室外側端部内面に設けられる内向片と、この内向片に重合する外向片を設けたシャッターとを備え、前記シャッターの閉鎖時に前記内向片と外向片を重合させる構成とした請求項１記載の換気装置。
【請求項６】
一端に外向片を設け、他端に内向片を設けた第１のシャッターと、この第１のシャッターの内向片に重合する外向片を設けた第２のシャッターとによりシャッターを構成した請求項１記載の換気装置。
【請求項７】
ドレン溜部に連通するドレンパイプをフードに設けた請求項２記載の換気装置。
【請求項８】
ドレンパイプ内に含浸材を設けた請求項７記載の換気装置。
【請求項９】
シャッターの閉鎖時にフードに当接するシャッターの当接部分にパッキン材を設けた請求項１記載の換気装置。
【請求項１０】
フードの内部にファンモータを設けた請求項１記載の換気装置。
【請求項１１】
パッキン材のシャッター当接部分に舌部を形成した請求項９記載の換気装置。
【請求項１２】
ひさしの内面とシャッターの表面との間に略３ｍｍ程度の隙間を形成した請求項１記載の換気装置。
【発明の詳細な説明】
【０００１】
【発明の属する技術分野】
本発明は、窓または壁部等に取り付けられる形状で屋外側にフードを形成し、フードの通風口を開閉するシャッターを設けた換気装置に関する。
【０００２】
【従来の技術】
従来のフードを設けた換気装置の一例としては、フードの外表面に付着した雨水が建物の壁面に誘導されることによる汚水跡の形成を防止するために、フードの外側上方へ向けた折り曲げ部を形成し、折り曲げ部に流れ落ちた雨水が建物の壁面から離れたフードの前部で下方へ滴下するようにしている（例えば特許文献１参照。）また、窓に取り付ける換気装置の一例としては、雨水、外風が侵入しにくく、取付け作業が全て室内側より容易に、かつ確実に実施できるようにするため、窓ガラスなどの板材に室内側より取り付けられ、シャッターが室外側開口部に開閉自在に支持固着されたフード部の室内側より摺動自在に取り付けられる換気装置本体と、シャッターをシャッター支持棒を介して開閉するシャッター駆動装置を設け構成している（例えば特許文献２参照。）。
【０００３】
【特許文献１】
特開平１１−１２５４４２号公報（００１０欄および００１１欄、図１）
【特許文献２】
特開平８−１４５４２５号公報（００２２欄および００２３欄、図１）
【０００４】
【発明が解決しようとする課題】
このような従来の［特許文献１］の換気装置ではフードの下方は開口状態であるため、高層ビル等の高い建物に設置した場合には、下方から吹き上げる風雨がフードの下方の開口から侵入し室内に流入するという課題があった。
【０００５】
また、［特許文献２］の換気装置では、フード部の室外側開口部に開閉自在なシャッターが設けられているが、高層ビル等の高い建物に設置した場合には、風の流れにより換気装置が受ける風圧が大きくなり、平坦なシャッターでは、直接大きな風圧を受けることとなり、シャッターが歪み、シャッター間に隙間が発生して風雨がフード部内に侵入して室内に流入するという課題があり、さらに、換気時には室外側開口部に複数枚のシャッターが存在することとなり、通風抵抗となって換気能力が低下するという課題があった。
【０００６】
本発明は、上記課題を解決するもので、高層ビル等の高い建物に設置しても、風雨が室内に侵入したり、換気能力が低下するのを防止できる換気装置を提供することを目的とする。
【０００７】
【課題を解決するための手段】
前記従来の課題を解決するために本発明の換気装置は、室内側に窓または壁部等に設ける開口に挿入させ取り付けられる筒状で、室外側端部に斜め下方に向け開口する通風口を形成するように上部側に球面状に突出して設けられるひさしを有するフードと、このフードの通風口を開閉するシャッターと、このシャッターを開閉する開閉手段とを備え、前記シャッターの開放時に前記フードのひさしの内側に収納されるように前記シャッターを球面状に形成したものである。
【０００８】
また、本発明の換気装置は、フードの内部に、シャッターの閉鎖時に、シャッターの内面側に向け縮小し突出する傾斜面を有し略環状に形成する水受を設け、下方部の水受とフードとの間にドレン溜部を形成したものである。
【０００９】
また、本発明の換気装置は、シャッターを、開放時には一部重合するように複数に分割して形成したものである。
【００１０】
また、本発明の換気装置は、ひさしの室外側端部に突出片を外方に向けて設けたものである。
【００１１】
また、本発明の換気装置は、ひさしの室外側端部内面に設けられる内向片と、この内向片に重合する外向片を設けたシャッターとを備え、前記シャッターの閉鎖時に前記内向片と外向片を重合させる構成としたものである。
【００１２】
また、本発明の換気装置は、一端に外向片を設け、他端に内向片を設けた第１のシャッターと、この第１のシャッターの内向片に重合する外向片を設けた第２のシャッターとによりシャッターを構成したものである。
【００１３】
また、本発明の換気装置は、ドレン溜部に連通するドレンパイプをフードに設けたものである。
【００１４】
また、本発明の換気装置は、ドレンパイプ内に含浸材を設けたものである。
【００１５】
また、本発明の換気装置は、シャッターの閉鎖時にフードに当接するシャッターの当接部分にパッキン材を設けたものである。
【００１６】
また、本発明の換気装置は、フードの内部にファンモータを設けたものである。
【００１７】
また、本発明の換気装置は、パッキン材のシャッター当接部分に舌部を形成したものである。
【００１８】
また、本発明の換気装置は、ひさしの内面とシャッターの表面との間に略３ｍｍ程度の隙間を形成したものである。
【００１９】
【発明の実施の形態】
請求項１記載の換気装置の発明は、室内側に窓または壁部等に設ける開口に挿入させ取り付けられる筒状で、室外側端部に斜め下方に向け開口する通風口を形成するように上部側に球面状に突出して設けられるひさしを有するフードと、このフードの通風口を開閉するシャッターと、このシャッターを開閉する開閉手段とを備え、前記シャッターの開放時に前記フードのひさしの内側に収納されるように前記シャッターを球面状に形成したので、フードのひさしおよびシャッターの球面状部により、シャッターの閉鎖時に風圧の大きい風雨が接触しても風雨は四方に流れて大きな風圧を継続して受けることがなくなり、シャッターが風圧により歪むこともなく、室内への風雨の侵入が防止され、シャッターの開放時には、シャッターがひさしの内側に収納されて通風口が全開され、通風口には通風抵抗を高める部材が存在しなくなり換気機能が低下するのが防止できる。
【００２０】
請求項２記載の換気装置の発明は、特に請求項１記載の換気装置のフードの内部に、シャッターの閉鎖時に、シャッターの内面側に向け縮小し突出する傾斜面を有し略環状に形成する水受を設け、下方部の水受とフードとの間にドレン溜部を形成したので、フード内に侵入した雨水は水受で受け止められてドレン溜部に集められることとなり、排水性が向上することとなる。
【００２１】
請求項３記載の換気装置の発明は、特に請求項１記載の換気装置のシャッターを、開放時には一部重合するように複数に分割して形成したので、シャッター開時に通風口を大きくとることができる。
【００２２】
請求項４記載の換気装置の発明は、特に請求項１記載の換気装置に、ひさしの室外側端部に突出片を外方に向けて設けたので、ひさしを伝って通風口に侵入しようとする雨水の流入が防止できる。
【００２３】
請求項５記載の換気装置の発明は、特に請求項１記載の換気装置に、ひさしの室外側端部内面に設けられる内向片と、この内向片に重合する外向片を設けたシャッターとを備え、前記シャッターの閉鎖時に前記内向片と外向片を重合させる構成としたので、高層ビル等の高い建物に設置しても、風雨が室内に侵入したり、換気能力が低下することを防止できる。
【００２４】
請求項６記載の換気装置の発明は、特に請求項１記載の換気装置に、一端に外向片を設け、他端に内向片を設けた第１のシャッターと、この第１のシャッターの内向片に重合する外向片を設けた第２のシャッターとによりシャッターを構成したので、複数に分割されたシャッター間の密閉度が高められ、シャッター間からの雨水の侵入を防止することができる。
【００２５】
請求項７記載の換気装置の発明は、特に請求項２記載の換気装置に、ドレン溜部に連通するドレンパイプをフードに設けたので、風雨がフード内部に侵入しにくくなる。
【００２６】
請求項８記載の換気装置の発明は、特に請求項７記載の換気装置に、ドレンパイプ内に含浸材を設けたので、風雨がドレンパイプを伝って得フード内に逆流することがなくなるとともに、外風圧の変化を利用して雨水を屋外に排出することができる。
【００２７】
請求項９記載の換気装置の発明は、特に請求項１記載の換気装置に、シャッターの閉鎖時にフードに当接するシャッターの当接部分にパッキン材を設けたので、シャッターの衝突音が緩和できるとともに、シャッターの密閉度を高めることができる。
【００２８】
請求項１０記載の換気装置の発明は、特に請求項１記載の換気装置のフードの内部にファンモータを設けたので、換気能力を高めることができる。
【００２９】
請求項１１記載の換気装置の発明は、特に請求項９記載の換気装置のパッキン材のシャッター当接部分に舌部を形成したので、シャッターの衝突音をさらに緩和させることができる。
【００３０】
請求項１２記載の換気装置の発明は、特に請求項１記載の換気装置のひさしの内面とシャッターの表面との間に略３ｍｍ程度の隙間を形成したので、屋外の空気中のほこり、または、鳥の糞などが換気装置に付着してもシャッターの開閉運動が妨げられないという効果がある。
【００３１】
以下、本発明の実施の形態について図１〜図６を参照しながら説明する。
【００３２】
（実施の形態１）
図１および図２に示すように、筒状で室外側端部に斜め下方に向け開口する通風口１を形成するように上部側が球面状に突出し設けられるひさし２と室内側には筒状より外方に突出したフランジ部３を設けたフード４を形成し、窓のガラス板５に形成された丸孔に取り付けられた取付具６に取り付けられるフランジ部３よりなる取付手段７を設け、フード４のひさし２の室外側端部に、ひさし２を伝って通風口１に流入しようとする雨水の流入防止用の突出片８を外方に向け突出させて設け、ひさし２の室外側端部内面には通風口１に向いた内向片９を形成し、フード４の通風口１を開閉するシャッター１０を、一端にひさし２に設けた内向片９と重合する外向片１１を設けた第１のシャッター１２と、第１のシャッター１２の内向片９と重合する外向片１１を設けた第２のシャッター１３とにより複数に分割したシャッター１０を形成し、シャッター１０を両サイドを支点に開閉自在に設け、シャッター１０の開放時にフード４のひさし２の内側に収納されるようにシャッター１０を球面状に形成する。
【００３３】
また、シャッター１０を常に閉鎖方向に作用するつる巻状のばね１４をシャッター１０の開閉支点部分に設け、シャッター１０を開放方向に作動するように連結したワイヤー１５ａをプーリ１５ｂを介して開閉器１５に連結し、ばね１４および開閉器１５により開閉手段１６を形成し、フード４の内部にシャッター１０の閉鎖時にシャッター１０の内面側に向け縮少し突出する傾斜面１７を環状に形成した水受１８を設け、下方部の水受１８部分とフード４との間にドレン溜部１９を形成する。
【００３４】
そして、ドレン溜部１９に連通するドレンパイプ２０をフード４に設け、ドレンパイプ２０内には、スポンジ、不織布などの吸水性物質からなる含浸材２１を設け、シャッター１０が閉鎖時に当接する当接部分には中空のパッキン材２２を設け、フード４の内部にはファンモータ２３を設け、ファンモータ２３の室内側にはベルマウス２４および化粧グリル２５を設けて構成する。
【００３５】
上記構成において、換気運転するときには、ファンモータ２３を運転するとともに、開閉手段１６の開閉器１５によりワイヤー１５ａを介してシャッター１０を開放する。このとき、シャッター１０を形成する第２のシャッター１３が第１のシャッター１２の内側に重なるとともに、第２のシャッター１３の重なった第１のシャッター１２がフード４のひさし２の内側に収納され、通風口１が全開状態となり、ファンモータ２３により送られた空気流は、シャッター１０等の部材の存在しない状態の通風口１を通り室内の空気が室外に換気されることとなる。
【００３６】
次に、換気運転を停止し、シャッター１０を閉鎖するときは、開閉手段１６のばね１４の弾性によりシャッター１０の第２のシャッター１３が閉鎖方向に移動し、第２のシャッター１３に設けた外向片１１が第１のシャッター１２の内向片９と重合し、第１のシャッター１２を閉鎖方向に移動し、第１のシャッター１２の外向片１１がフード４に設けた内向片９に重合し、シャッター１０が閉鎖され、第２のシャッター１３の端部は、閉鎖時に当接する当接部分に設けた中空のパッキン材２２に衝突し、衝突音が緩和されるとともに密閉度が高められる。
【００３７】
このようにシャッター１０が閉鎖された状態では、換気装置が高層ビルの高い建物に取り付けられても、換気装置に向かう風雨がフード４に形成された球面状のひさし２と球面状のシャッター１０に吹き付けられても、風雨は球面状部分に沿い四方に放散され、シャッター１０には大きな風圧が継続して加わることがなくなるとともに、シャッター１０とフード４は内向片９と外向片１１の重合状態により密閉され、風雨がフード４内に侵入することがなくなる。
【００３８】
また、たとえフード４とシャッター１０間およびシャッター１０を形成する第１のシャッター１２と、第２のシャッター１３間の隙間からフード４内に雨水が侵入してもフード４内に設けた水受１８によりドレン溜部１９に送られドレン溜部１９に連通したドレンパイプ２０により雨水は室外に排出される。このとき、ドレンパイプ２０に設けた含浸材２１により、外風圧が大きいときにはドレンパイプ２０内に雨水が溜まり、外風圧が小さくなったときに、ドレンパイプ２０内に溜っている雨水が室外に排出される。
【００３９】
また、フード４の上部に降った雨が通風口１側に流れ、通風口１内に流入しようとしても、ひさし２の室外側端部に設けた雨水の流入防止用の突出片８により通風口１の外側を通りフード４の下方に案内されて室外に排出されることとなる。
【００４０】
このように本発明の実施の形態１の換気装置によれば、筒状で室外側端部に斜め下方に向け開口する通風口１を形成するように上部側に球面状に突出し設けられるひさし２と、室内側にフランジ部３よりなる窓のガラス板５または壁部等に取り付ける取付手段７とを設けたフード４と、フード４の通風口１を開閉するシャッター１０と、シャッター１０を開閉する閉鎖方向に作用するばね１４および開放方向に作用する開閉器１５等によりなる開閉手段１６とを備え、シャッター１０の開放時にフード４のひさし２の内側に収納されるようにシャッター１０を球面状に形成したので、シャッター１０の閉鎖時には、外風や風雨の吹き付けに対してひさし２の球面状および、シャッター１０の球面状に沿った気流が形成され、気流は球面状のひさし２とシャッター１０に沿って左右方向、上下方向の四方に拡散されて流れることとなり、シャッター１０の周縁に流れやすくなる気流が軽減でき、フード４とシャッター１０間の隙間などからフード４内に雨水の侵入するのを防止でき、高層ビル等の高い建物に設置しても室内に雨水の侵入するのが防止できるとともに、シャッター１０の開放時には通風口１にシャッター１０などの通風抵抗となる部材の存在がなくなり、換気能力が低下するのも防止できる換気装置を得ることができる。
【００４１】
また、フード４の内部シャッター１０の閉鎖時に、シャッター１０の内面側に向け縮少し突出する傾斜面１７を環状に形成した水受１８を設け、下方部の水受１８とフード４との間にドレン溜部１９を形成したので、たとえ、フード４とシャッター１０間およびシャッター１０間に隙間が生じ雨水がフード４内に侵入しても、フード４内に設けた水受１８により受け止められ、雨水は下方部に案内され、下方部に形成されたドレン溜部１９に集められることとなり、排水性が向上する。
【００４２】
また、シャッター１０を、開放時には重合される第１のシャッター１２と第２のシャッター１３の複数に分割して形成したので、分割された第１のシャッター１２と第２のシャッター１３が重合されることにより、狭い部分に開放されたシャッター１０を収納することができるとともに、通風口１を広く開口することができる。
【００４３】
また、ひさし２の室外側端部にひさし２を伝って通風口１に流入しようとする雨水の流入防止用の突出片８を外方に向け突出させて設けたので、雨水がフード４上に降り、フード４の上部よりひさし２を伝って通風口１に流入しようとしても、ひさし２の室外側端部に設けた突出片８により受け止められ、フード４の下方部に送られ通風口１への雨水の侵入が防止される。
【００４４】
また、ひさし２の室外側端部内面に設けられる内向片９と、内向片９に重合する外向片１１を設けたシャッター１０とを備え、シャッター１０の閉鎖時に内向片９と外向片１１を重合して密閉する構成としたので、ひさし２とシャッター１０間の隙間がひさし２の内向片９とシャッター１０の外向片１１が重合することにより密閉され、雨水がフード４内に侵入することをより一層確実に防止することができる。
【００４５】
また、一端に外向片１１を設け、他端に内向片９を設けた第１のシャッター１２と、第１のシャッター１２の内向片９に重合する外向片１１を設けた第２のシャッター１３とによりシャッター１０を構成したので、第１のシャッター１２と第２のシャッター１３により形成されるシャッター間の隙間が内向片９と外向片１１が重合することにより密閉され、複数に分割されたシャッター間の密閉度を高めることができる。
【００４６】
また、ドレン溜部１９に連通するドレンパイプ２０をフード４に設けたので、風雨が強いときにおいても、風雨が突出し設けられるドレンパイプ２０内に侵入しにくくなり、風雨がフード４内に侵入するのを防止することができる。
【００４７】
また、ドレンパイプ２０内にフエルトや不織布等からなる含浸材２１を設けたので、風雨が強いときには、含浸材２１に水を貯水し、風雨が弱くなったときに、排水することができ、風雨がフード４内に侵入するのが含浸材２１により、より確実に防止することができる。
【００４８】
また、シャッター１０の閉鎖時に当接する当接部分に中空のパッキン材２２を設けたので、シャッター１０の閉鎖時における衝突音を緩和することができるとともに、閉鎖時のシャッター１０とフード４間の密閉度を高めることができる。
【００４９】
また、フード４の内部にファンモータ２３を設けたので、換気能力を高めることができる。
【００５０】
なお、実施の形態１の換気装置においては、室内の空気を室外に排気する換気について説明したが、室外の空気を室内に給気する給気の場合においても同様の作用効果をもたらすものである。
【００５１】
また、実施の形態１では、フード４の内部にファンモータ２３を設けた構成で説明したが、図３に示すようにフード４の内部にファンモータ２３を設けない従来のようにフード４のみを用いても風雨の侵入を防止する作用効果は同様にもたらすことはいうまでもない。
【００５２】
また、実施の形態１では、フード４を窓のガラス板５に取り付けられることとして説明したが、図４に示すようにフランジ部３をねじ２６により壁部２７に取り付けても良いことはいうまでもない。
【００５３】
また、実施の形態１では、シャッター１０を開閉器１５を用いて開放することとして説明したが、引き紐による開閉手段１６を用いても、同様の作用効果をもたらすものである。
【００５４】
（実施の形態２）
図５に示すように、パッキン材２２Ａに舌片２８を設け、シャッター１０を当接させる構成とする。
【００５５】
上記構成において、シャッター１０が閉鎖時には舌片２８を有したパッキン材２２Ａにシャッター１０が当接することとなり、容易に変形する舌片２８により衝突音が緩和され、さらにパッキン材２２Ａにより衝突音が緩和されることとなり、衝突音がさらに緩和されるとともに密閉性が向上する。
【００５６】
このように本発明の実施の形態２の換気装置によれば、パッキン材２２Ａに舌片２８を設け、シャッター１０を当接させる構成としたので、シャッター１０の衝突音がパッキン材のみを設けた場合と比較して、さらに衝突音が緩和されるとともに、密閉性を向上することができる。
【００５７】
（実施の形態３）
図６に示すように、ひさし２Ａの内面に内向片を設けない状態のときには、ひさし２Ａの内面とシャッター１０Ａの表面との間に３ｍｍ程度の隙間２９を設けて構成する。
【００５８】
上記構成において、ひさし２Ａおよびシャッター１０Ａは室外に露出しているため、室外の空気中に含まれるほこりがシャッター１０Ａとひさし２Ａ間の隙間２９に付着し徐々に積ってシャッター１０Ａの開閉運動が困難となるが、隙間２９を３ｍｍ程度に形成することにより、隙間２９がほこりで閉鎖される度合が少なくなってシャッター１０Ａの開閉運動が阻害されることがなくなる。
【００５９】
このように本発明の実施の形態３の換気装置によれば、ひさし２Ａの内面とシャッター１０Ａの表面との間に略３ｍｍ程度の隙間２９を形成したので、室外の空気中に含まれるほこりが付着してシャッター１０Ａの開閉運動に支障を生じることがなくなり、シャッター１０Ａをスムーズに開閉することができる。
【００６０】
【発明の効果】
以上の実施の形態から明らかなように、本発明によれば筒状で室外側端部に斜め下方に向け開口する通風口を形成するように上部側に球面状に突出し設けられるひさしを有するフードと、このフードの通風口を開閉するシャッターと、このシャッターを開閉する開閉手段とを備え、前記シャッターの開放時に前記フードのひさしの内側に収納されるように、前記シャッターを球面状に形成したので、高層ビル等の高い建物に設置しても、風雨が室内に浸入したり、換気能力が低下するのを防止できる換気装置を提供することができる。
【００６１】
また、フードの内部にシャッターの閉鎖時に、シャッターの内面側に向け縮少し突出する傾斜面を環状に形成した水受を設け、下方部の水受とフードとの間にドレン溜部を形成したので、フード内に浸入した雨水は水受で受け止められドレン溜部に集められることとなり排水性を向上することができる。
【００６２】
また、シャッターを、開放時には一部重合するように複数に分割して形成したので、狭い部分に開放されたシャッターを収納することができるとともに、通風口を広く開口することができる。
【００６３】
また、ひさしの室外側端部に、ひさしを伝って通風口に流入しようとする雨水の流入防止用の突出片を外方に向け突出させて設けたので、通風口への雨水の侵入を防止することができる。
【００６４】
また、ひさしの室外側端部内面に設けられる内向片と、この内向片に重合する外向片を設けたシャッターとを備え、シャッターの閉鎖時に前記内向片と外向片を重合して密閉する構成としたので、フード内への雨水の浸入を防止することができる。
【００６５】
また、一端に外向片を設け、他端に内向片を設けた第１のシャッターと、この第１のシャッターの内向片に重合する外向片を設けた第２のシャッターとによりシャッターを構成したので、複数に分割されたシャッター間の密閉度が高められシャッター間からの雨水の侵入を防止することができる。
【００６６】
また、ドレン溜部に連通するドレンパイプをフードに設けたので、排水口のみを設けた場合と比較して風雨がフード内に侵入しにくくなる。
【００６７】
また、ドレンパイプ内に含浸材を設けたので、風雨がフード内に侵入することを防止することができる。
【００６８】
また、シャッターの閉鎖時に当接する部分にパッキン材を設けたので、シャッターの衝突音を緩和することができるとともに、密閉度を高めることができる。
【００６９】
また、フードの内部にファンモータを設けたので、換気能力を高めることができる。
【００７０】
また、パッキン材に舌片を設けシャッターを当接させる構成としたので、シャッターの衝突音の緩和効果をさらに高めることができる。
【００７１】
また、ひさしの内面とシャッターの表面との間に略３ｍｍ程度の隙間を形成したので、室外の空気中に含まれるほこりが付着してもシャッターの開閉運動がさまたげられない効果をもたらす。
【図面の簡単な説明】
【図１】本発明の実施の形態１の換気装置を窓に取り付けた状態を示す断面図
【図２】同換気装置のシャッターの開閉手段を示す断面図
【図３】同換気装置の他の例を示す断面図
【図４】同換気装置を壁部に取り付けた他の例を示す断面図
【図５】本発明の実施の形態２の換気装置の構成を示す断面図
【図６】本発明の実施の形態３の換気装置の構成を示す断面図
【符号の説明】
１    通風口
２    ひさし
２Ａ  ひさし
４    フード
７    取付手段
８    突出片
９    内向片
１０  シャッター
１０Ａ  シャッター
１１  外向片
１２  第１のシャッター
１３  第２のシャッター
１６  開閉手段
１７  傾斜面
１８  水受
１９  ドレン溜部
２０  ドレンパイプ
２１  含浸材
２２  パッキン材
２２Ａ  パッキン材
２３  ファンモータ
２８  舌片
２９  隙間
【図１】
2004218880.tif 000003
【図２】
2004218880.tif 000004
【図３】
2004218880.tif 000005
【図４】
2004218880.tif 000006
【図５】
2004218880.tif 000007
【図６】
2004218880.tif 000008